(57)【要約】【課題】記録装置の高さを抑えることができる記録装置を提供すること。【解決手段】記録装置１１は、筐体１２と、筐体に収容され、媒体９９に記録する記録部１３と、媒体を収容する収容部２３と、媒体が搬送される搬送経路２６と、媒体を搬送する搬送部２８と、記録部よりも上方に位置し、原稿を読み取る読取部３１と、読取部に向けて原稿を送る供給部３２と、読取部に読み取られた原稿を排出する排出部３３と、原稿が通過する供給経路３４と、を備え、筐体は、記録された媒体が排出される排出口２４を筐体の前面１２Ａに有し、前記供給経路及び前記搬送経路は、前記筐体の幅方向と直交する方向に形成され、収容部は、筐体の前面から着脱可能であり、搬送経路は、媒体の姿勢を上下に反転させるように湾曲する湾曲部分２６Ａを有し、読取部は、筐体の前面から筐体の後面１２Ｃに向かう奥行方向Ｆ１において、記録部よりも後方に位置する。【選択図】図５
2020191526.tif 000002
【特許請求の範囲】
【請求項１】
筐体と、
前記筐体に収容され、媒体に記録する記録部と、
前記筐体に対して着脱可能に構成され、前記媒体を収容する収容部と、
前記収容部から前記記録部に向けて延び、前記媒体が搬送される搬送経路と、
前記搬送経路に沿って前記媒体を搬送する搬送部と、
前記記録部よりも上方に位置し、原稿を読み取る読取部と、
前記読取部に向けて前記原稿を送る供給部と、
前記読取部に読み取られた前記原稿を排出する排出部と、
前記原稿が通過する前記供給部から前記排出部までの供給経路と、を備え、
前記筐体は、前記記録部によって記録された前記媒体が排出される排出口を前記筐体の前面に有し、
前記供給経路及び前記搬送経路は、前記筐体の幅方向と直交する方向に形成され、
前記収容部は、前記筐体の前記前面から着脱可能であり、
前記搬送経路は、前記収容部から前記記録部に向かう過程で前記媒体の姿勢を上下に反転させるように湾曲する湾曲部分を有し、
前記読取部は、前記筐体の前記前面から前記筐体の後面に向かう奥行方向において、前記記録部よりも後方に位置することを特徴とする記録装置。
【請求項２】
前記供給部、前記読取部、前記排出部は、前記供給経路沿いに並んで配置されることを特徴とする請求項１に記載の記録装置。
【請求項３】
前記搬送部は、前記搬送経路を搬送される前記媒体のスキューを除去するための搬送ローラーを有し、
前記読取部は、前記奥行方向において、前記湾曲部分と前記搬送ローラーとの間に位置することを特徴とする請求項１又は請求項２に記載の記録装置。
【請求項４】
前記収容部に収容される前記媒体を分離させる分離部を備え、
前記分離部は、前記奥行方向において、前記読取部よりも後方に位置することを特徴とする請求項１から請求項３の何れか一項に記載の記録装置。
【請求項５】
前記記録部を搭載し、前記媒体に対して走査するキャリッジを備え、
前記キャリッジは、高さ方向において、前記読取部と重なることを特徴とする請求項１から請求項４の何れか一項に記載の記録装置。
【請求項６】
前記筐体に対して開くことによって、前記筐体内を露出させるメンテナンスカバーを備え、
前記メンテナンスカバーは、高さ方向において、前記読取部と重なることを特徴とする請求項１から請求項５の何れか一項に記載の記録装置。
【請求項７】
前記読取部と、前記供給部と、を含む読取ユニットと、
前記読取ユニットを支持するユニットフレームと、を備え、
前記ユニットフレームは、前記湾曲部分を形成することを特徴とする請求項１から請求項６の何れか一項に記載の記録装置。
【発明の詳細な説明】
【技術分野】
【０００１】
本発明は、記録装置に関する。
【背景技術】
【０００２】
特許文献１には、記録装置の一例として、原稿の画像を読み取る画像読取部と、媒体に画像を形成する画像形成部とを備える画像形成装置が記載されている。この画像形成装置は、原稿を画像読取部に向けて送る原稿給送部と、媒体を収容するカセットとを備える。原稿給送部が画像読取部に向けて原稿を送ると、画像読取部はその原稿を読み取る。カセットに収容された媒体が画像形成部に向けて搬送されると、画像形成部はその媒体に画像を形成する。この画像形成装置において、画像読取部は、画像形成部よりも上方に位置する。
【先行技術文献】
【特許文献】
【０００３】
【特許文献１】特開２０１８−１７４５１９号公報
【発明の概要】
【発明が解決しようとする課題】
【０００４】
特許文献１に記載された画像形成装置においては、画像読取部が画像形成部と上下で重なるように位置する。すなわち、画像形成装置を上方から見た場合に、画像読取部と画像形成部とが重なる。この場合、画像形成装置の高さが高くなりやすい。
【課題を解決するための手段】
【０００５】
上記課題を解決する記録装置は、筐体と、前記筐体に収容され、媒体に記録する記録部と、前記筐体に対して着脱可能に構成され、前記媒体を収容する収容部と、前記収容部から前記記録部に向けて延び、前記媒体が搬送される搬送経路と、前記搬送経路に沿って前記媒体を搬送する搬送部と、前記記録部よりも上方に位置し、原稿を読み取る読取部と、前記読取部に向けて前記原稿を送る供給部と、前記読取部に読み取られた前記原稿を排出する排出部と、前記原稿が通過する前記供給部から前記排出部までの供給経路と、を備え、前記筐体は、前記記録部によって記録された前記媒体が排出される排出口を前記筐体の前面に有し、前記供給経路及び前記搬送経路は、前記筐体の幅方向と直交する方向に形成され、前記収容部は、前記筐体の前記前面から着脱可能であり、前記搬送経路は、前記収容部から前記記録部に向かう過程で前記媒体の姿勢を上下に反転させるように湾曲する湾曲部分を有し、前記読取部は、前記筐体の前記前面から前記筐体の後面に向かう奥行方向において、前記記録部よりも後方に位置する。
【図面の簡単な説明】
【０００６】
【図１】記録装置の一実施形態を示す斜視図。
【図２】メンテナンスカバーが開いた状態の斜視図。
【図３】案内部材が開いた状態の斜視図。
【図４】収容部が引き出された状態の斜視図。
【図５】記録装置の断面図。
【発明を実施するための形態】
【０００７】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００８】
図１に示すように、記録装置１１は、筐体１２を備える。記録装置１１は、媒体９９に記録する記録部１３を備える。記録部１３は、筐体１２に収容される。記録部１３は、例えば媒体９９に向けて液体を吐出するヘッドである。記録部１３は、筐体１２内を搬送される媒体９９に液体を吐出することにより、媒体９９に画像を記録する。
【０００９】
本実施形態の記録装置１１は、記録部１３を搭載するキャリッジ１４を備える。キャリッジ１４は、媒体９９に対して走査する。すなわち、本実施形態の記録装置１１は、いわゆるシリアルタイプのプリンターである。記録装置１１は、媒体９９の幅にわたって記録部１３が長尺に構成されるラインタイプのプリンターでもよい。
【００１０】
記録装置１１は、ユーザーが記録装置１１を操作するための操作部１５を備える。操作部１５は、例えば、情報を表示する表示画面１６と、操作に関する指示を記録装置１１に与えるための操作ボタン１７とを有する。本実施形態において、操作部１５は、筐体１２の前面１２Ａに位置する。
【００１１】
本実施形態の記録装置１１は、排出カバー１８を備える。排出カバー１８は、筐体１２に対して開閉可能に構成される。排出カバー１８は、筐体１２の前面１２Ａに位置する。図１において、排出カバー１８は閉じている。排出カバー１８が開くことによって、記録された媒体９９を排出可能となる。記録された媒体９９は、筐体１２の前方に向けて排出される。本実施形態において、筐体１２の前面１２Ａとは、記録された媒体９９が筐体１２外に排出されるときに通過する面である。
【００１２】
図２に示すように、本実施形態の記録装置１１は、筐体１２に対して開くことによって、筐体１２内を露出させるメンテナンスカバー１９を備える。本実施形態においては、メンテナンスカバー１９が筐体１２に対して開くことによって、キャリッジ１４が露出する。メンテナンスカバー１９は、筐体１２に対して開閉可能に構成される。ユーザーは、メンテナンスカバー１９を開くことによって、記録装置１１をメンテナンスできる。例えば、ユーザーは、メンテナンスカバー１９を開くことによって、筐体１２内で詰まった媒体９９を除去したり、記録部１３に液体を補充したりできる。
【００１３】
図３に示すように、記録装置１１は、読取ユニット２１を備える。読取ユニット２１は、筐体１２の上部に位置する。読取ユニット２１は、筐体１２に取り付けられる。読取ユニット２１は、原稿９１を読取可能に構成される。原稿９１とは、例えば用紙である。原稿９１には、文字、写真などの画像が記録されている。読取ユニット２１内に原稿９１が送られることによって、その原稿９１に記録された画像が読み取られる。すなわち、読取ユニット２１は、シートフィード式のスキャナーである。
【００１４】
読取ユニット２１は、筐体１２の上部において、閉じているメンテナンスカバー１９と奥行方向Ｆ１に並ぶように位置する。奥行方向Ｆ１とは、筐体１２の前面１２Ａから筐体１２の後面１２Ｃに向かう方向である。筐体１２の後面１２Ｃとは、筐体１２の前面１２Ａとは反対となる面である。読取ユニット２１は、奥行方向Ｆ１において、閉じているメンテナンスカバー１９よりも後方に位置する。
【００１５】
読取ユニット２１は、原稿９１を案内するための案内部材２２を有してもよい。案内部材２２は、読み取られる原稿９１を案内する。案内部材２２は、筐体１２に対して開閉可能に構成される。図３において、案内部材２２は、筐体１２に対して開いている。
【００１６】
案内部材２２は、筐体１２に対して開いている場合に、原稿９１を案内可能となる。本実施形態の案内部材２２は、筐体１２に対して開いている場合に、読取後の原稿９１を受けるトレイとして機能する。この場合、案内部材２２は、読取後の原稿９１を受けるときにその原稿９１を案内する。案内部材２２は、読取前の原稿９１が置かれるトレイとして機能してもよい。本実施形態においては、閉じられたメンテナンスカバー１９上に置かれた原稿９１が読取ユニット２１内に送られる。
【００１７】
案内部材２２は、筐体１２に対して閉じている場合に、読取ユニット２１のカバーとして機能する。例えば、案内部材２２は、筐体１２に対して閉じている場合に、読取ユニット２１内に大気中の塵埃が進入することを抑制する。
【００１８】
図４に示すように、記録装置１１は、媒体９９を収容する収容部２３を備える。収容部２３は、記録前の媒体９９を収容する。収容部２３は、筐体１２に対して着脱可能に構成される。本実施形態の収容部２３は、例えば、複数の媒体９９を積層する状態で収容可能なカセットである。収容部２３は、筐体１２の前面１２Ａから着脱可能に構成される。図４において収容部２３は、筐体１２から引き出されている。
【００１９】
本実施形態において、収容部２３に排出カバー１８が取り付けられている。そのため、収容部２３が筐体１２から引き出されると、排出カバー１８が筐体１２に対して開く。排出カバー１８は、収容部２３に対して回転可能な状態で取り付けられている。
【００２０】
筐体１２は、その前面１２Ａに排出口２４を有する。排出口２４は、記録部１３によって記録された媒体９９が排出される開口である。排出カバー１８が筐体１２に対して開くと、排出口２４が露出する。
【００２１】
図５に示すように、記録装置１１は、収容部２３から記録部１３に向けて延びる搬送経路２６を備える。搬送経路２６は、媒体９９が搬送される経路である。収容部２３に収容される媒体９９は、搬送経路２６を通じて記録部１３に搬送される。図５において、筐体１２内に１点鎖線で示される経路が搬送経路２６である。
【００２２】
搬送経路２６は、収容部２３から記録部１３に向かう過程で媒体９９の姿勢を上下に反転させるように湾曲する湾曲部分２６Ａを有する。湾曲部分２６Ａは、搬送経路２６において、湾曲しながら延びる部分である。そのため、搬送経路２６は、湾曲部分２６Ａにおいて媒体９９を湾曲させる。
【００２３】
記録装置１１は、片面に記録された媒体９９を搬送経路２６に戻すための反転経路２７を備えてもよい。本実施形態においては、図５において、筐体１２内に破線で示される経路が反転経路２７である。反転経路２７は、搬送経路２６の下流部分と搬送経路２６の上流部分とに繋がる。反転経路２７と搬送経路２６との接続点は、搬送経路２６において、湾曲部分２６Ａを挟むように位置する。
【００２４】
例えば、媒体９９の両面に記録する場合に、媒体９９は反転経路２７を搬送される。片面に記録された媒体９９は、搬送経路２６を通常とは逆向きに搬送されることによって、反転経路２７に案内される。反転経路２７に案内された媒体９９は、反転経路２７を搬送されることによって、搬送経路２６に戻される。搬送経路２６に戻された媒体９９は、再び搬送経路２６を記録部１３に向けて搬送される。このとき、媒体９９は、記録された面とは反対の面が記録部１３と対向する姿勢となる。このようにして、記録装置１１は、媒体９９の両面に記録する。
【００２５】
搬送経路２６を搬送される媒体９９は、前面１２Ａから後面１２Ｃに向かう方向、及び後面１２Ｃから前面１２Ａに向かう方向に進行する。収容部２３に収容される媒体９９は、記録される場合に、搬送経路２６に沿って、前面１２Ａから後面１２Ｃに向けて進行する。媒体９９は、反転経路２７を通過した後、搬送経路２６に沿って、後面１２Ｃから前面１２Ａに向けて進行する。
【００２６】
記録装置１１は、搬送経路２６に沿って媒体９９を搬送する搬送部２８を備える。搬送部２８は、収容部２３から記録部１３に向けて媒体９９を搬送する。搬送部２８は、例えば複数のローラーで構成される。搬送部２８を構成する複数のローラーは、例えば、搬送経路２６に沿って配置される。
【００２７】
搬送部２８は、収容部２３から記録部１３に向かう過程において媒体９９の姿勢を上下に反転させる反転ローラー２８Ａを有してもよい。反転ローラー２８Ａは、媒体９９を湾曲させながら搬送する。これにより、媒体９９の姿勢が、収容部２３から記録部１３に向かう過程で、上下に反転する。本実施形態の反転ローラー２８Ａは、搬送経路２６の湾曲部分２６Ａにその外周面が沿うように位置する。すなわち、本実施形態において、湾曲部分２６Ａは、搬送経路２６において反転ローラー２８Ａの外周面に沿って延びる部分である。
【００２８】
本実施形態の搬送部２８は、搬送経路２６を搬送される媒体９９のスキューを除去するための搬送ローラー２８Ｂを有する。スキューとは、搬送される媒体９９の傾きのことである。回転が停止した状態の搬送ローラー２８Ｂに媒体９９が突き当てられることによって、媒体９９のスキューが除去される。本実施形態においては、反転ローラー２８Ａによって搬送された媒体９９が、搬送ローラー２８Ｂに突き当てられる。
【００２９】
本実施形態の搬送ローラー２８Ｂは、奥行方向Ｆ１において、記録部１３と並ぶように位置する。すなわち、本実施形態の搬送ローラー２８Ｂは、記録部１３の後方に位置する。本実施形態の搬送ローラー２８Ｂは、搬送部２８を構成する複数のローラーのうち、搬送経路２６において最も下流に位置するローラーである。
【００３０】
本実施形態の搬送部２８は、収容部２３から媒体９９を取り出すピックアップローラー２８Ｃを有する。ピックアップローラー２８Ｃは、収容部２３に収容される複数の媒体９９のうち、最も上に位置する１枚目の媒体９９に接触する。ピックアップローラー２８Ｃは、媒体９９に接触する状態で回転することによって、媒体９９を収容部２３から取り出す。
【００３１】
本実施形態のピックアップローラー２８Ｃは、反転ローラー２８Ａの下方に位置する。本実施形態のピックアップローラー２８Ｃは、反転ローラー２８Ａに向けて媒体９９を搬送する。本実施形態のピックアップローラー２８Ｃは、搬送部２８を構成する複数のローラーのうち、搬送経路２６において最も上流に位置するローラーである。
【００３２】
記録装置１１は、収容部２３に収容される媒体９９を分離させる分離部２９を備えてもよい。分離部２９は、例えば収容部２３から媒体９９が複数枚取り出された場合に、その複数の媒体９９を１枚ずつに分離させる。本実施形態において、分離部２９は、ピックアップローラー２８Ｃによって複数枚取り出された媒体９９を１枚ずつに分離させる。
【００３３】
本実施形態の分離部２９は、搬送経路２６の一部を形成する。分離部２９は、例えば、その表面に細かい突起が複数形成された部材である。収容部２３から取り出された媒体９９は、その先端が分離部２９の表面に接触することによって、反転ローラー２８Ａに向けて搬送される。このとき、収容部２３から複数枚の媒体９９が取り出された場合には、ピックアップローラー２８Ｃと接触しない２枚目以降の媒体９９が、分離部２９の表面に形成された突起に引っ掛かる。これにより、ピックアップローラー２８Ｃと接触する１枚目の媒体９９のみが反転ローラー２８Ａに向けて搬送される。このようにして、媒体９９が１枚ずつに分離される。
【００３４】
記録装置１１は、原稿９１を読み取る読取部３１と、読取部３１に向けて原稿９１を送る供給部３２とを備える。読取ユニット２１は、例えば、読取部３１と供給部３２とを含む。本実施形態において、記録装置１１は、読取部３１によって読み取られた原稿９１を排出する排出部３３と、原稿９１が通過する供給部３２から排出部３３までの供給経路３４とを備える。そのため、本実施形態の読取ユニット２１は、さらに、案内部材２２と、排出部３３と、供給経路３４とを含む。
【００３５】
読取部３１は、記録部１３よりも上方に位置する。読取部３１は、例えばイメージセンサーモジュールである。そのため、読取部３１は、例えば、原稿９１に向けて光を発する発光素子、原稿９１によって反射された光を受ける受光素子などを有する。読取部３１は、筐体１２に対して固定される。本実施形態の読取部３１は、供給経路３４を通過する原稿９１を読み取る。本実施形態の読取部３１は、原稿９１を下方から読み取る。そのため、本実施形態の読取部３１は、メンテナンスカバー１９上に置かれた原稿９１の下面を読み取る。
【００３６】
供給経路３４及び搬送経路２６は、筐体１２の幅方向と直交する方向に形成される。本実施形態の供給経路３４は、奥行方向Ｆ１に延びる。本実施形態の搬送経路２６は、奥行方向Ｆ１と、その反対方向に延びる。筐体１２の幅方向とは、奥行方向Ｆ１と異なる方向である。筐体１２の幅方向は、記録装置１１の幅を示す指標となる。
【００３７】
本実施形態の供給部３２は、奥行方向Ｆ１へ原稿９１を送る。供給部３２は、例えばローラー対である。
本実施形態の排出部３３は、奥行方向Ｆ１へ原稿９１を送る。排出部３３は、案内部材２２に向けて原稿９１を排出する。排出部３３は、例えばローラー対である。供給部３２及び排出部３３は、供給経路３４に沿って原稿９１を送る。
【００３８】
供給経路３４は、読取部３１に向けて原稿９１を供給するための供給開口３５と、読取後の原稿９１を排出するための排出開口３６とを有する。原稿９１は、供給開口３５を通過することによって、読取ユニット２１外から読取ユニット２１内に送られる。原稿９１は、排出開口３６を通過することによって、読取ユニット２１内から読取ユニット２１外に送られる。原稿９１は、読取ユニット２１にセットされる場合、その先端が供給開口３５に差し込まれた状態でメンテナンスカバー１９上に置かれる。
【００３９】
読取部３１、供給部３２及び排出部３３は、供給経路３４沿いに並んで配置される。奥行方向Ｆ１において、供給部３２、読取部３１、排出部３３は、この順で供給経路３４沿いに並んで配置される。尚、供給部３２は供給ローラー、排出部３３は排出ローラーである。
【００４０】
案内部材２２は、閉じることによって、供給開口３５と排出開口３６とを覆う。これにより、案内部材２２は、読取ユニット２１内に塵埃が進入することを抑制する。
本実施形態の記録装置１１は、読取ユニット２１を支持するユニットフレーム３８を備える。読取ユニット２１は、ユニットフレーム３８に取り付けられることによって、筐体１２に固定される。
【００４１】
本実施形態のユニットフレーム３８は、湾曲部分２６Ａを形成する。ユニットフレーム３８は、例えば、反転ローラー２８Ａを覆うように位置することによって、湾曲部分２６Ａを形成する。このとき、ユニットフレーム３８は、湾曲部分２６Ａの少なくとも一部を形成していればよい。ユニットフレーム３８は、読取ユニット２１を支持する部材と、湾曲部分２６Ａを形成する部材とを兼ねる。そのため、本実施形態においては、湾曲部分２６Ａを形成する部材を別途備える構成と比べて、記録装置１１を構成する部品点数の増加を抑制できる。
【００４２】
読取部３１は、奥行方向Ｆ１において、記録部１３よりも後方に位置する。この場合、読取部３１が記録部１３と上下で重ならない。すなわち、筐体１２を上方から見た場合に、読取部３１は、記録部１３と重ならないようにずれて配置される。
【００４３】
読取部３１が記録部１３と上下で重なる構成、すなわち、筐体１２を上方から見た場合に読取部３１が記録部１３と重なるように配置される構成においては、記録装置１１の高さが高くなりやすい。この点、読取部３１が奥行方向Ｆ１において記録部１３よりも後方に位置することによって、筐体１２を上方から見た場合に読取部３１が記録部１３と重なる構成と比べて、記録装置１１の高さを抑えることができる。
【００４４】
読取部３１は、奥行方向Ｆ１において、湾曲部分２６Ａと搬送ローラー２８Ｂとの間に位置してもよい。すなわち、筐体１２を上方から見た場合に、読取部３１は、湾曲部分２６Ａと搬送ローラー２８Ｂとに重ならないようにずれて配置されてもよい。この場合、筐体１２を上方から見た場合に読取部３１が湾曲部分２６Ａと重なる構成、及び、筐体１２を上方から見た場合に読取部３１が搬送ローラー２８Ｂと重なる構成と比べて、記録装置１１の高さを抑えることができる。
【００４５】
分離部２９は、奥行方向Ｆ１において、読取部３１よりも後方に位置してもよい。すなわち、筐体１２を上方から見た場合に、分離部２９は、読取部３１と重ならないようにずれて配置されてもよい。この場合、筐体１２を上方から見た場合に分離部２９が読取部３１と重なる構成と比べて、記録装置１１の高さを抑えることができる。
【００４６】
分離部２９は、奥行方向Ｆ１において、案内部材２２が閉じた状態の読取ユニット２１よりも後方に位置してもよい。すなわち、筐体１２を上方から見た場合に、分離部２９は、案内部材２２が閉じた状態の読取ユニット２１と重ならないようにずれて配置されてもよい。この場合、記録装置１１の高さをより抑えることができる。
【００４７】
キャリッジ１４は、高さ方向Ｆ２において読取部３１と重なっていてもよい。すなわち、筐体１２を前方、又は後方から見た場合に、キャリッジ１４は、読取部３１と重なるように配置されていてもよい。このとき、キャリッジ１４の少なくとも一部分が読取部３１と重なっていればよい。本実施形態においては、キャリッジ１４の上端部分が、読取部３１の下端部分と高さ方向Ｆ２において重なる。
【００４８】
高さ方向Ｆ２とは、記録装置１１の高さを示す指標となる方向である。本実施形態において、記録装置１１は、水平面に設置される。この場合、高さ方向Ｆ２は、鉛直方向と反対の方向となる。
【００４９】
キャリッジ１４が読取部３１と高さ方向Ｆ２においてずれて配置される場合、記録装置１１の高さが高くなりやすい。この点、キャリッジ１４が読取部３１と高さ方向Ｆ２において重なることによって、キャリッジ１４が読取部３１と高さ方向Ｆ２において重ならない構成と比べて、記録装置１１の高さを抑えることができる。例えば、キャリッジ１４が読取部３１よりも下方又は上方に位置する場合と比べて、記録装置１１の高さを抑えることができる。
【００５０】
メンテナンスカバー１９は、高さ方向Ｆ２において読取部３１と重なっていてもよい。すなわち、筐体１２を前方、又は後方から見た場合に、メンテナンスカバー１９は、読取部３１と重なるように配置されていてもよい。このとき、メンテナンスカバー１９の少なくとも一部分が読取部３１と重なっていればよい。
【００５１】
メンテナンスカバー１９が読取部３１と高さ方向Ｆ２においてずれて配置される場合、記録装置１１の高さが高くなりやすい。この点、メンテナンスカバー１９が読取部３１と高さ方向Ｆ２において重なることによって、メンテナンスカバー１９が読取部３１と高さ方向Ｆ２において重ならない構成と比べて、記録装置１１の高さを抑えることができる。例えば、メンテナンスカバー１９が読取部３１よりも下方又は上方に位置する場合と比べて、記録装置１１の高さを抑えることができる。
【００５２】
次に、上記実施形態の作用及び効果について説明する。
（１）読取部３１は、奥行方向Ｆ１において、記録部１３よりも後方に位置する。そのため、読取部３１は、記録部１３と上下で重ならない。すなわち、筐体１２を上方から見た場合に、読取部３１は、記録部１３と重ならないようにずれて配置される。これにより、筐体１２の上方から見た場合に読取部３１が記録部１３と重なる構成と比べて、記録装置１１の高さを抑えることができる。
【００５３】
（２）供給部３２、読取部３１、排出部３３は、供給経路３４沿いに並んで配置される。これにより、原稿９１をスムーズに読み取ることができる。
（３）読取部３１は、奥行方向Ｆ１において、湾曲部分２６Ａと搬送ローラー２８Ｂとの間に位置する。これにより、例えば、筐体１２を上方から見た場合に読取部３１が湾曲部分２６Ａと重なる構成、及び、筐体１２を上方から見た場合に読取部３１が搬送ローラー２８Ｂと重なる構成と比べて、記録装置１１の高さを抑えることができる。
【００５４】
（４）分離部２９は、奥行方向Ｆ１において、読取部３１よりも後方に位置する。これにより、例えば、筐体１２を上方から見た場合に分離部２９が読取部３１と重なる構成と比べて、記録装置１１の高さを抑えることができる。
【００５５】
（５）キャリッジ１４は、高さ方向Ｆ２において、読取部３１と重なる。これにより、キャリッジ１４が読取部３１と高さ方向Ｆ２において重ならない構成、例えばキャリッジ１４が読取部３１よりも下方又は上方に位置する構成と比べて、記録装置１１の高さを抑えることができる。
【００５６】
（６）メンテナンスカバー１９は、高さ方向Ｆ２において、読取部３１と重なる。これにより、メンテナンスカバー１９が読取部３１と高さ方向Ｆ２において重ならない構成、例えばメンテナンスカバー１９が読取部３１よりも下方又は上方に位置する構成と比べて、記録装置１１の高さを抑えることができる。
【００５７】
（７）読取ユニット２１を支持するユニットフレーム３８は、湾曲部分２６Ａを形成する。ユニットフレーム３８が湾曲部分２６Ａを形成するため、湾曲部分２６Ａを形成する部材を別途備える構成と比べて、記録装置１１を構成する部品点数の増加を抑制できる。
【００５８】
本実施形態は、以下のように変更して実施することができる。本実施形態及び以下の変更例は、技術的に矛盾しない範囲で互いに組み合わせて実施することができる。
・筐体の上面１２Ｂが読取前の原稿９１が置かれるトレイとして機能してもよい。
【００５９】
・読取部３１が、供給経路３４の下方に設けられているが、上方に設けられてもよく、また上方、下方の両方に設けられてもよい。
・分離部２９は、ピックアップローラー２８Ｃによって取り出された媒体９９を挟み込むローラー対であってもよい。例えば、ローラー対を構成する２つのローラーの回転抵抗がそれぞれ異なることによって、媒体９９を分離できる。
【００６０】
・記録装置１１は、収容部２３とは別に、筐体１２の後面１２Ｃから媒体９９を供給可能に構成されてもよい。
・媒体９９は、金属フィルム、プラスチックフィルム、布帛などでもよい。
【００６１】
・記録部１３は、媒体９９に液体を吐出することによって記録する構成に限らず、媒体９９に熱を加えることによって記録する構成でもよいし、媒体９９に打刻することによって記録する構成でもよい。
【００６２】
・記録部１３が吐出する液体はインクに限らず、例えば機能材料の粒子が液体に分散又は混合されてなる液状体などでもよい。例えば、記録部１３が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００６３】
以下に、上述した実施形態及び変更例から把握される技術的思想及びその作用効果を記載する。
（Ａ）記録装置は、筐体と、前記筐体に収容され、媒体に記録する記録部と、前記筐体に対して着脱可能に構成され、前記媒体を収容する収容部と、前記収容部から前記記録部に向けて延び、前記媒体が搬送される搬送経路と、前記搬送経路に沿って前記媒体を搬送する搬送部と、前記記録部よりも上方に位置し、原稿を読み取る読取部と、前記読取部に向けて前記原稿を送る供給部と、前記読取部に読み取られた前記原稿を排出する排出部と、前記原稿が通過する前記供給部から前記排出部までの供給経路と、を備え、前記筐体は、前記記録部によって記録された前記媒体が排出される排出口を前記筐体の前面に有し、前記供給経路及び前記搬送経路は、前記筐体の幅方向と直交する方向に形成され、前記収容部は、前記筐体の前記前面から着脱可能であり、前記搬送経路は、前記収容部から前記記録部に向かう過程で前記媒体の姿勢を上下に反転させるように湾曲する湾曲部分を有し、前記読取部は、前記筐体の前記前面から前記筐体の後面に向かう奥行方向において、前記記録部よりも後方に位置する。
【００６４】
この構成によれば、読取部は、記録部と上下で重ならない。すなわち、筐体を上方から見た場合に、読取部は、記録部と重ならないようにずれて配置される。これにより、筐体の上方から見た場合に読取部が記録部と重なる構成と比べて、記録装置の高さを抑えることができる。
【００６５】
（Ｂ）上記記録装置において、前記供給部、前記読取部、前記排出部は、前記供給経路沿いに並んで配置されてもよい。
この構成によれば、原稿をスムーズに読み取ることができる。
【００６６】
（Ｃ）上記記録装置において、前記搬送部は、前記搬送経路を搬送される前記媒体のスキューを除去するための搬送ローラーを有し、前記読取部は、前記奥行方向において、前記湾曲部分と前記搬送ローラーとの間に位置してもよい。
【００６７】
この構成によれば、例えば、筐体を上方から見た場合に読取部が湾曲部分と重なる構成、及び、筐体を上方から見た場合に読取部が搬送ローラーと重なる構成と比べて、記録装置の高さを抑えることができる。
【００６８】
（Ｄ）上記記録装置は、前記収容部に収容される前記媒体を分離させる分離部を備え、前記分離部は、前記奥行方向において、前記読取部よりも後方に位置してもよい。
この構成によれば、例えば、筐体を上方から見た場合に分離部が読取部と重なる構成と比べて、記録装置の高さを抑えることができる。
【００６９】
（Ｅ）上記記録装置は、前記記録部を搭載し、前記媒体に対して走査するキャリッジを備え、前記キャリッジは、高さ方向において、前記読取部と重なってもよい。
この構成によれば、キャリッジが読取部と高さ方向において重ならない構成、例えばキャリッジが読取部よりも下方又は上方に位置する構成と比べて、記録装置の高さを抑えることができる。
【００７０】
（Ｆ）上記記録装置は、前記筐体に対して開くことによって、前記筐体内を露出させるメンテナンスカバーを備え、前記メンテナンスカバーは、高さ方向において、前記読取部と重なってもよい。
【００７１】
この構成によれば、メンテナンスカバーが読取部と高さ方向において重ならない構成、例えばメンテナンスカバーが読取部よりも下方又は上方に位置する構成と比べて、記録装置の高さを抑えることができる。
【００７２】
（Ｇ）上記記録装置は、前記読取部と、前記供給部と、を含む読取ユニットと、前記読取ユニットを支持するユニットフレームと、を備え、前記ユニットフレームは、前記湾曲部分を形成してもよい。
【００７３】
この構成によれば、ユニットフレームが湾曲部分を形成するため、湾曲部分を形成する部材を別途備える構成と比べて、記録装置を構成する部品点数の増加を抑制できる。
【符号の説明】
【００７４】
１１…記録装置、１２…筐体、１２Ａ…前面、１２Ｂ…上面、１２Ｃ…後面、１３…記録部、１４…キャリッジ、１５…操作部、１６…表示画面、１７…操作ボタン、１８…排出カバー、１９…メンテナンスカバー、２１…読取ユニット、２２…案内部材、２３…収容部、２４…排出口、２６…搬送経路、２６Ａ…湾曲部分、２７…反転経路、２８…搬送部、２８Ａ…反転ローラー、２８Ｂ…搬送ローラー、２８Ｃ…ピックアップローラー、２９…分離部、３１…読取部、３２…供給部、３３…排出部、３４…供給経路、３５…供給開口、３６…排出開口、３８…ユニットフレーム、９１…原稿、９９…媒体、Ｆ１…奥行方向、Ｆ２…高さ方向。
【図１】
2020191526.tif 000003
【図２】
2020191526.tif 000004
【図３】
2020191526.tif 000005
【図４】
2020191526.tif 000006
【図５】
2020191526.tif 000007